(57)【要約】【課題】カラー通信での差別化。【解決手段】カラー情報を通信可能なファクシミリ装置において、前手順にて、色空間ＬａｂでのＪＰＥＧ符号化情報、色空間ｓＹＣＣでのＪＰＥＧ符号化情報、フルカラー情報、ＪＰＥＧ符号化の情報を受信時に任意サイズの情報の通信をネゴシエートする手段、送信機にて、任意サイズの情報送信選択手段、任意サイズとして、受信機側から通知された情報に基づいて任意サイズの情報送信制御を実行するか否かを選択できる。【選択図】　　　　図１
2004147194.tif 000002
【特許請求の範囲】
【請求項１】
カラー情報を通信可能なファクシミリ装置において、前手順にて、受信機から送信機に、色空間ＬａｂでのＪＰＥＧ符号化情報の受信機能の有無を通知する手段、色空間ｓＹＣＣでのＪＰＥＧ符号化情報の受信機能の有無を通知する手段、フルカラー情報の受信機能の有無を通知する手段、ＪＰＥＧ符号化の情報を受信時に任意サイズの情報の受信機能の有無を通知する手段、一方、送信機から受信機に、色空間ＬａｂでのＪＰＥＧ符号化情報の送信を指定する手段、色空間ｓＹＣＣでのＪＰＥＧ符号化情報の送信を指定する手段、フルカラー情報の送信を指定する手段、ＪＰＥＧ符号化の情報を送信時に任意サイズの情報の送信を指定する手段、送信機にて、任意サイズの情報送信選択手段、任意サイズとして、受信機側から通知された情報に基づいて任意サイズの情報送信制御を実行するか否かを選択する手段を有する事を特徴とするファクシミリ装置。
【請求項２】
請求項１のファクシミリ装置において、送信機にて、任意サイズの情報送信が選択時、任意サイズとして、受信機側から通知された情報に基づいて任意サイズの情報送信制御を実行する事が選択されていると受信機から通知されたＪＰＥＧ情報で受信可能なサイズ、及び、解像度より、受信可能な画素数を推定し、送信画素数がこれ以下であれば送信し、送信画素数がこれを超えると送信を中断する事を特徴とするファクシミリ装置。
【請求項３】
請求項１、２のファクシミリ装置において、送信機にて、任意サイズの情報送信が選択時、任意サイズとして、受信機側から通知された情報に基づいて任意サイズの情報送信制御を実行する事が選択されていないと受信機から通知されたＪＰＥＧ情報で受信可能なサイズ、及び、解像度より、受信可能な画素数を確認せずに、送信を実行する事を特徴とするファクシミリ装置。
【発明の詳細な説明】
【０００１】
【発明の属する技術分野】
本発明は、ファクシミリ装置、特に、ＪＰＥＧ情報を通信可能なファクシミリ装置に関するものである。
【０００２】
【従来の技術】
従来のＪＰＥＧ情報を通信可能なファクシミリ装置は、主走査方向の画素数はＡ４サイズの２００ｄｐｉであれば、１７２８ビット等全て、Ａ４、Ｂ４、Ａ３サイズ等の定型サイズの送信を考えていた。ここで、最近は、デジタルカメラが普及して、デジタルカメラで撮影した情報をそのままファクシミリプロトコルを使用して送信したいというニーズが高まってきた。これに伴い、デジタルカメラで使用している色空間ｓＹＣＣのＪＰＥＧ符号化情報をそのまま送信するプロトコルが検討中である。
【０００３】
【発明が解決しようとする課題】
しかしながら、デジタルカメラで撮影した情報は、Ａ系列、Ｂ系列の画素数に一致しないので、色空間としてｓＹＣＣのＪＰＥＧ符号化情報の通信が可能になっても、デジタルカメラで撮影した情報をファクシミリプロトコルを使用して送信する事を考えると、サイズ変換が必要であった。
【０００４】
【課題を解決するための手段】
第１の本発明によれば、カラー情報を通信可能なファクシミリ装置において、前手順にて、受信機から送信機に、色空間ＬａｂでのＪＰＥＧ符号化情報の受信機能の有無を通知する手段、色空間ｓＹＣＣでのＪＰＥＧ符号化情報の受信機能の有無を通知する手段、フルカラー情報の受信機能の有無を通知する手段、ＪＰＥＧ符号化の情報を受信時に任意サイズの情報の受信機能の有無を通知する手段、一方、送信機から受信機に、色空間ＬａｂでのＪＰＥＧ符号化情報の送信を指定する手段、色空間ｓＹＣＣでのＪＰＥＧ符号化情報の送信を指定する手段、フルカラー情報の送信を指定する手段、ＪＰＥＧ符号化の情報を送信時に任意サイズの情報の送信を指定する手段、送信機にて、任意サイズの情報送信選択手段、任意サイズとして、受信機側から通知された情報に基づいて任意サイズの情報送信制御を実行するか否かを選択する手段を有する事が可能になった。第２の本発明によれば、第１の本発明のファクシミリ装置において、送信機にて、任意サイズの情報送信が選択時、任意サイズとして、受信機側から通知された情報に基づいて任意サイズの情報送信制御を実行する事が選択されていると受信機から通知されたＪＰＥＧ情報で受信可能なサイズ、及び、解像度より、受信可能な画素数を推定し、送信画素数がこれ以下であれば送信し、送信画素数がこれを超えると送信を中断する事が可能になった。第３の本発明によれば、第１、２の本発明のファクシミリ装置において、送信機にて、任意サイズの情報送信が選択時、任意サイズとして、受信機側から通知された情報に基づいて任意サイズの情報送信制御を実行する事が選択されていないと受信機から通知されたＪＰＥＧ情報で受信可能なサイズ、及び、解像度より、受信可能な画素数を確認せずに、送信を実行する事が可能になった。
【０００５】
これらにより、デジタルカメラで撮影した情報は、Ａ系列、Ｂ系列の画素数に一致しないが、任意サイズのＪＰＥＧ符号化送信を可能とする事で、デジタルカメラで撮影した情報を何も変更する事無く、ファクシミリのプロトコルでの送信ができ、送信すべき情報の情報量と、相手受信機のＪＰＥＧ情報を受信可能な解像度とサイズに基づき、送信の実行を決定する（目安として送信できるかを判断できるが、あくまで、受信機側のプリント能力であり確実では無い）か、あるいは、いかなる情報量でも送信してしまうかをユーザが選択でき、送信したいニーズの度合いにより選択できとても使い易くなった。
【０００６】
【発明の実施の形態】
（実施例１）
以下、図面に示す実施の形態に基づいて、本発明を詳細に説明する。
【０００７】
図１には、本発明の実施の形態であるファクシミリ装置がブロック図として図示されている。
【０００８】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【０００９】
４は、電話機である。
【００１０】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１１】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１２】
１０は、発呼回路であり、バス２６からの信号により、電話番号情報を入力し、信号線１０ａにＤＴＭＦの選択信号を出力する。
【００１３】
１２は、加算回路であり、信号線８ａの情報と信号線１０ａの情報を入力し、加算した結果を信号線１２ａに出力する。
【００１４】
１４は、カラー読み取り可能な読取回路であり、読み取りデータをバス２６に出力する。
【００１５】
１６は、カラー記録可能な記録回路であり、バス２６に出力されている情報を順次１ライン毎に記録する。
【００１６】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納するために使用する。
【００１７】
２０は、操作部であり、ワンタッチダイヤル、短縮ダイヤル、テンキー、＊キー、＃キー、スタートキー、ストップキー、セットキー、ファイル情報の送信を選択するキー、任意サイズの情報送信選択キー、任意サイズとして、受信機側から通知された情報に基づいて任意サイズの情報送信制御を実行するか否かを選択するキー、その他のファンクションキーがあり、押下されたキー情報はバス２６に出力される。
【００１８】
操作部には、表示部があり、バス２６に出力されている情報を入力し、表示する。
【００１９】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２０】
２６は、バスである。
【００２１】
２８は、カードインターフェイスであり、３０のカード（例えば、デジタルカメラで撮影した情報が記憶されているコンパクトフラッシュ（登録商標）カード）がセットされる。
【００２２】
図２には、本発明により、カラー関連のビット情報、さらに、新規にＩＴＵ−Ｔ勧告Ｔ．３０に追加する情報が図示されている。
【００２３】
ＤＩＳ／ＤＴＣ信号のＦＩＦの６８ビットにより、色空間ＬａｂでのＪＰＥＧ受信機能の有無を通知し、ＤＣＳ信号のＦＩＦの６８ビットにより、色空間ＬａｂでのＪＰＥＧ送信を指定をする。
【００２４】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定をする。
【００２５】
ＤＩＳ／ＤＴＣ信号のＦＩＦのＸビットにより、色空間ｓＹＣＣでのＪＰＥＧ受信機能の有無を通知し、ＤＣＳ信号のＦＩＦのＸビットにより、色空間ｓＹＣＣでのＪＰＥＧ送信を指定をする。ここでは、フルカラー送信、グレイスケール送信の区別はしない。
【００２６】
また、ＤＩＳ／ＤＴＣ信号のＦＩＦのＹビットにより、ＪＰＥＧ受信時、任意サイズの受信機能の有無を通知し、ＤＣＳ信号のＦＩＦのＹビットにより、ＪＰＥＧ送信時、任意サイズの送信を指定をする。
【００２７】
２４は、カラー情報を通信可能なファクシミリ装置において、前手順にて、受信機から送信機に、色空間ＬａｂでのＪＰＥＧ符号化情報の受信機能の有無を通知する手段、色空間ｓＹＣＣでのＪＰＥＧ符号化情報の受信機能の有無を通知する手段、フルカラー情報の受信機能の有無を通知する手段、ＪＰＥＧ符号化の情報を受信時に任意サイズの情報の受信機能の有無を通知する手段、一方、送信機から受信機に、色空間ＬａｂでのＪＰＥＧ符号化情報の送信を指定する手段、色空間ｓＹＣＣでのＪＰＥＧ符号化情報の送信を指定する手段、フルカラー情報の送信を指定する手段、ＪＰＥＧ符号化の情報を送信時に任意サイズの情報の送信を指定する手段、送信機にて、任意サイズの情報送信選択手段、任意サイズとして、受信機側から通知された情報に基づいて任意サイズの情報送信制御を実行するか否かを選択する手段を有する。
【００２８】
そして、送信機にて、任意サイズの情報送信が選択時、任意サイズとして、受信機側から通知された情報に基づいて任意サイズの情報送信制御を実行する事が選択されていると受信機から通知されたＪＰＥＧ情報で受信可能なサイズ、及び、解像度より、受信可能な画素数を推定し、送信画素数がこれ以下であれば送信し、送信画素数がこれを超えると送信を中断する。
【００２９】
また、送信機にて、任意サイズの情報送信が選択時、任意サイズとして、受信機側から通知された情報に基づいて任意サイズの情報送信制御を実行する事が選択されていないと受信機から通知されたＪＰＥＧ情報で受信可能なサイズ、及び、解像度より、受信可能な画素数を確認せずに、送信を実行する。
【００３０】
以上の制御プログラムが格納されている。
【００３１】
図３、４、５、６、７には、図１の制御の流れ図が図示されている。
【００３２】
図３において、Ｓ０は、始めを表している。
【００３３】
Ｓ２は、バス２６を介して、メモリ１８をイニシャライズする事を表している。
【００３４】
Ｓ４は、バス２６を介して、操作部の表示部をクリアする事を表している。
【００３５】
Ｓ６では、バス２６を介してＮＣＵ２のＣＭＬをオフする。
【００３６】
Ｓ８では、ファクシミリ受信が選択されたか否かが判断されＹＥＳであるとＳ１４に進み、ＮＯであるとＳ１０に進む。
【００３７】
Ｓ１０では、ファクシミリ送信が選択されたか否かが判断されＹＥＳであるとＳ２２に進み、ＮＯであるとＳ１２に進み、その他の処理をする。
【００３８】
Ｓ１４では、バス２６を介して、ＮＣＵ２のＣＭＬをオンする。
【００３９】
Ｓ１６は前手順を表している。ここで、ＤＩＳ信号のＦＩＦの６８、６９、Ｘ、Ｙビットは１とする。また、ＤＩＳ信号のＦＩＦの１５ビット（モノクロでの２００ｄｐｉＸ２００ｄｐｉでの受信機能を表す）、４３ビット（モノクロでの４００ｄｐｉＸ４００ｄｐｉでの受信機能を表す）、４２ビット（モノクロでの３００ｄｐｉＸ３００ｄｐｉでの受信機能を表す）、９７ビット（カラーでの３００ｄｐｉＸ３００ｄｐｉ、あるいは、カラーでの４００ｄｐｉＸ４００ｄｐｉでの受信機能を表す）、９８ビット（カラーでの１００ｄｐｉＸ１００ｄｐｉでの受信機能を表す）、１１０ビット（カラーでの６００ｄｐｉＸ６００ｄｐｉでの受信機能を表す）を１とする。
【００４０】
Ｓ１８は、指定された通信モードでの画信号の受信／記録を表している。
【００４１】
Ｓ２０は、後手順を表している。
【００４２】
Ｓ２２では、バス２６を介してＮＣＵ２のＣＭＬをオンする。
【００４３】
Ｓ２４は、バス２６を介して、発呼回路を使用して指定された宛先へ発呼する事を表している。
【００４４】
Ｓ２６は、前手順を表している。
【００４５】
Ｓ２８では、操作部の情報を入力して、ファイル情報の送信が選択されたか否かが判断され、ＹＥＳであるとＳ３０に進み、ＮＯであるとＳ５６に進む。
【００４６】
Ｓ３０では、操作部の情報を入力して、任意サイズの送信が選択されたか否かが判断され、ＹＥＳであるとＳ３２に進み、ＮＯであるとＳ４６に進む。
【００４７】
Ｓ３２では、ＤＩＳ信号のＦＩＦの６９、Ｘ、Ｙビットはともに１であるか否かが判断され、ＹＥＳであるとＳ３４に進み、ＮＯであるとＳ４４に進む。
【００４８】
Ｓ３４では、送信機のファイル情報の画素数は、受信機の受信能力（解像度、受信可能サイズ）から判定して送信可能であるか否かが判断され、ＹＥＳであるとＳ３６に進み、ＮＯであるとＳ４２に進む。
【００４９】
Ｓ３６は、残りの前手順を実行する。ここで、ＤＣＳ信号のＦＩＦの６９、Ｘ、Ｙビットを１にする。
【００５０】
Ｓ３８は、カードインターフェイスにセットされているファイル情報をそのまま色空間ｓＹＣＣのＪＰＥＧ符号化にてフルカラー送信する事を表している。ここで、ＪＰＥＧ符号化のヘッダにて、主走査方向のビット数、副走査方向のビット数を通知する。
【００５１】
Ｓ４０は、後手順を表している。
【００５２】
Ｓ４２では、操作部の情報を入力して、受信可能推定情報を基に送信制御を決定する事が選択されたか否かが判断され、ＹＥＳであるとＳ４４に進み、ＮＯであるとＳ３６に進む。
【００５３】
Ｓ４４は、操作部の表示部に、「このファイル情報は送信できませんでした。」と表示する事を表している。この表示は何らかのキー操作で消去する。
【００５４】
Ｓ４６では、ＤＩＳ信号のＦＩＦの６９、Ｘビットはともに１であるか否かが判断され、ＹＥＳであるとＳ４８に進み、ＮＯであるとＳ４４に進む。
【００５５】
Ｓ４８は、残りの前手順を実行する。ここで、ＤＣＳ信号のＦＩＦの６９、Ｘビットを１にする。
【００５６】
Ｓ５０は、主走査方向のビット数は、１７２８ビットにする。ここで、ファイル情報が１７２８ビットより少なければ、白情報を付加し、ファイル情報が１７２８ビットより大きければ１７２８ビットになるように縮小する。主走査方向の情報を縮小した場合に限り、副走査方向の情報も同一倍率で縮小する。
【００５７】
Ｓ５２は、前ステップ（Ｓ５０）にて、画処理した情報を色空間ｓＹＣＣのＪＰＥＧフルカラー送信する。
【００５８】
Ｓ５４は後手順を表している。
【００５９】
Ｓ５６では、操作部の情報を入力して、カラー送信が選択されたか否かが判断され、ＹＥＳであるとＳ６４に進み、ＮＯであるとＳ５８に進む。
【００６０】
Ｓ５８は、残りの前手順を実行する。ここで、ＤＣＳ信号のＦＩＦの６８、６９、Ｘ、Ｙビットは全て０にする。
【００６１】
Ｓ６０は、モノクロ画信号の読み取り／送信をする事を表している。ここで、主走査方向の画素数は、定型サイズ（Ａ４、あるいは、Ｂ４）とする。
【００６２】
Ｓ６２は、後手順を表している。
【００６３】
Ｓ６４では、ＤＩＳ信号のＦＩＦの６８、６９ビットはともに１であるか否かが判断され、ＹＥＳであるとＳ６６に進み、ＮＯであるとＳ５８に進む。
【００６４】
Ｓ６６は、残りの前手順を実行する。ここで、ＤＣＳ信号のＦＩＦの６８、６９ビットは１にする。
【００６５】
Ｓ６８は、画信号のカラー読み取り／色空間ＬａｂでのＪＰＥＧフルカラー送信を表している。ここで、主走査方向の画素数は、定型サイズ（Ａ４、あるいは、Ｂ４）とする。
【００６６】
Ｓ７０は、後手順を表している。
【００６７】
【発明の効果】
第１、２、３の本発明によれば、デジタルカメラで撮影した情報は、Ａ系列、Ｂ系列の画素数に一致しないが、任意サイズのＪＰＥＧ符号化送信を可能とする事で、デジタルカメラで撮影した情報を何も変更する事無く、ファクシミリのプロトコルでの送信ができ、送信すべき情報の情報量と、相手受信機のＪＰＥＧ情報を受信可能な解像度とサイズに基づき、送信の実行を決定する（目安として送信できるかを判断できるが、あくまで、受信機側のプリント能力であり確実では無い）か、あるいは、いかなる情報量でも送信してしまうかをユーザが選択でき、送信したいニーズの度合いにより選択できとても使い易くなった。
【図面の簡単な説明】
【図１】本発明によるファクシミリ装置の実施例のブロック図
【図２】本発明によるＤＩＳ／ＤＴＣ、ＤＣＳ信号のＦＩＦ情報の具体例
【図３】本発明による制御の流れ図
【図４】本発明による制御の流れ図
【図５】本発明による制御の流れ図
【図６】本発明による制御の流れ図
【図７】本発明による制御の流れ図
【符号の説明】
２　ＮＣＵ
４　電話機
６　ハイブリッド回路
８　変復調器
１０　発呼回路
１２　加算回路
１４　読み取り回路
１６　記録回路
１８　メモリ回路
２０　操作部
２２　ＣＰＵ
２４　ＲＯＭ
２６　バス
２８　カードインターフェイス
３０　コンパクトフラッシュ（登録商標）カード
【図１】
2004147194.tif 000003
【図２】
2004147194.tif 000004
【図３】
2004147194.tif 000005
【図４】
2004147194.tif 000006
【図５】
2004147194.tif 000007
【図６】
2004147194.tif 000008
【図７】
2004147194.tif 000009